(57)【要約】【課題】電線接続コネクタを接続する際の誤接続を防ぎつつ、接続の簡易化を図ることができる電線接続コネクタを提供する。【解決手段】差込部４０を有するプラグ１０と、差込部４０が挿入される差込口３０を有するジャック２０とを有し、差込部４０が差込口３０に挿入されることで電気的接続する電線接続コネクタにおいて、差込口３０に挿入する差込部４０の差込量を変化させることで導通する電流量を選択できることを特徴とする電線接続コネクタ。【選択図】図１
2015115260.tif 000002
【特許請求の範囲】
【請求項１】
差込部を有するプラグと、
前記差込部が挿入される差込口を有するジャックとを有し、
前記差込部が前記差込口に挿入されることで電気的接続する電線接続コネクタにおいて、前記差込口に挿入する前記差込部の差込量を変化させることで導通する電流量を選択できることを特徴とする電線接続コネクタ。
【請求項２】
請求項１に記載の電線接続コネクタにおいて、
前記プラグは、長さの異なる前記差込部を有する複数のプラグから選択されたものであることを特徴とする電線接続コネクタ。
【請求項３】
請求項１に記載の電線接続コネクタにおいて、
前記プラグと前記ジャックとの間にスペーサーを設けることで、
前記差込部が前記差込口に挿入される差込量が変化し、導通する電流量を選択できることを特徴とする電線接続コネクタ。
【発明の詳細な説明】
【技術分野】
【０００１】
本発明は、電線接続コネクタに関するものである。
【背景技術】
【０００２】
ＬＥＤ照明器具には、ＬＥＤ基板と、そのＬＥＤ基板に実装されたＬＥＤ光源が備えられており、このＬＥＤ光源には電源回路から電力を供給するための電線と、ＬＥＤ光源からの電線の配線が必要である。これらの電線同士の接続には、器具の組立時やＬＥＤ光源・電源回路の補修交換時において、分離や接続を簡易に行えるよう電線接続コネクタが用いられている。（特許文献１参照）
このような場合、図１０に示すような電線接続コネクタＸが用いられており、同一照明器具に用いられる電線コネクタの差込部４０の長さは、全て一定の長さの同一形状であった。
【０００３】
このような状況において、従来からのＬＥＤ照明器具２００には、必要な光出力に応じて、数種類の出力の異なるＬＥＤ光源を搭載し、これらの出力の異なるＬＥＤ光源に対して、専用のＬＥＤ点灯用の電源回路を設置し、それぞれの接続を電線接続コネクタによって行われていた。
【先行技術文献】
【特許文献】
【０００４】
【特許文献１】実用新案登録第３１３８４９６号公報
【発明の概要】
【発明が解決しようとする課題】
【０００５】
上記のように、同一形状の電線接続コネクタで構成した場合、異なる電力量同士の誤接続などが発生し、ＬＥＤ光源の破損などの事故につながる恐れがある。
【０００６】
また、異なる電力量毎に電線接続コネクタの形状を変更させることも可能であるが、電線接続コネクタの形状が多数存在し、接続が複雑化するという課題もあった。
【０００７】
本発明は、従来の問題を解決するためになされたもので、誤接続によるＬＥＤ光源の破損を防止し、かつ、接続の簡易化を図ることができる電線接続コネクタを提供することを目的とする。
【課題を解決するための手段】
【０００８】
本発明の電線接続コネクタは、差込部を有するプラグと、前記差込部が挿入される差込口を有するジャックとを有し、前記差込部が前記差込口に挿入されることで電気的接続する電線接続コネクタにおいて、前記差込口に挿入する前記差込部の差込量を変化させることで導通する電流量を選択できることを特徴とする。
【０００９】
また、前記プラグは、長さの異なる前記差込部を有する複数のプラグから選択されたものであってもよい。
【００１０】
また、前記プラグと前記ジャックとの間にスペーサーを設けることで、前記差込部が前記差込口に挿入される差込量が変化し、導通する電流量を選択できるものであってもよい。
【発明の効果】
【００１１】
本発明は、電線接続コネクタを接続する際の誤接続を防ぎつつ、接続の簡易化を図ることができる電線接続コネクタを提供する。
【図面の簡単な説明】
【００１２】
【図１】実施形態１に係る電線接続コネクタＡの側面図
【図２】実施形態１に係る電線接続コネクタＢの側面図
【図３】実施形態１に係る電線接続コネクタＣの側面図
【図４】実施形態１に係る電線接続コネクタＡの断面図
【図５】実施形態１に係る電線接続コネクタＢの断面図
【図６】実施形態１に係る電線接続コネクタＣの断面図
【図７】実施形態２に係る電線接続コネクタＤの側面図
【図８】実施形態２に係る電線接続コネクタＤの側面図
【図９】実施形態２に係る電線接続コネクタＤの側面図
【図１０】従来の電線接続コネクタの斜視図
【発明を実施するための形態】
【００１３】
（実施形態１）
以下、電線接続コネクタの実施形態１について図１〜図６を用いて説明を行う。なお、以下の実施形態においては、ＬＥＤ照明器具に関する電線接続コネクタに特化した説明を行うが、本発明における電線接続コネクタの形状は、ＬＥＤ照明器具に用いられるものに限定されるものではなく、その他様々な用途としての電線接続コネクタに活用することが可能である。
【００１４】
本実施形態に示す、電線接続コネクタＡ、Ｂ、Ｃは、差込部４０を有するプラグ１０と、差込部４０が挿入される差込口３０を有するジャック２０とを有し、差込部４０が差込口３０に挿入されることで電気的接続する電線接続コネクタにおいて、差込口３０に挿入する差込部４０の差込量を変化させることで導通する電流量を選択できるものである。以下、具体的に説明を行う。
【００１５】
差込部４０は、樹脂素材で構成された絶縁性を有する柱状態である。その柱状態のある一側面に、後述する電気接続切片５０と接触する電気導通部７０を有する。この電気導通部７０は、導電性の材料から成り、電気接続切片５０からの電力供給を受け取る役目を果たすものである。
【００１６】
また、この電気導通部７０の頂部は凹状になっており、電気接続切片５０と係り合うことによって、差込部４０と電気接続切片５０が固定され、プラグ１０の差込部４０が差込口３０から容易には抜け落ちないようになっている。
【００１７】
プラグ１０は、差込部４０と同様、樹脂素材で構成されている。このプラグ１０と、差込部４０は同一の絶縁素材であってもよいし、別の絶縁素材であってもよい。構造に関しても、同一素材であれば、一体成型が可能であり、別素材を用いるのであれば、プラグ１０と差込部４０を別個成型し、後に組み合わせ工程を踏めばよい。
【００１８】
続いて、差込部４０が挿入される差込口３０を有するジャック２０について説明をする。ジャック２０は樹脂素材から成型されており、差込口３０を有している。差込口３０は差込部４０を差込むことができるよう、深穴が形成されている。
【００１９】
この深穴の任意の面に、電気接続切片５０が穴の深さ方向に列を成すように設けられている。この電気接続切片５０には、電源回路から電力が供給されておりプラグ１０に設け
られた電気導通部７０と接触するように形成されている。
【００２０】
また、先にも述べたように、電気導通部７０と電気接続切片５０とが係り合い、プラグ１０の差込部４０が差込口３０から容易に抜けないようにするために、電気接続切片５０は凸状に形成されている。この凸状に形成された電気接続切片５０には、プラグ１０を差込む際の接触抵抗を弱めるために、電気導通部７０と電気接続切片５０との接触面に傾斜をもたせるようになっている。
【００２１】
また、本実施形態では、電気接続切片５０は、電気接続切片５０１、電気接続切片５０２、電気接続切片５０３の３つが備えられたジャック２０を示しているが、電気接続切片５０の数に関してはこれに限られるものではない。
【００２２】
ここで、本実施形態に記載の電線接続コネクタＡ、電線接続コネクタＢ、電線接続コネクタＣの特徴部分について説明する。これらの電線接続コネクタＡ、電線接続コネクタＢ、電線接続コネクタＣは、いずれも、差込口３０に挿入する差込部４０の差込量を変化させることで導通する電流量を選択できる。
【００２３】
以下、具体的に電流量を選択できる構造を説明する。電線接続コネクタＡ、電線接続コネクタＢ、電線接続コネクタＣそれぞれの差込部４０の長さはいずれも異なり、差込部４０が有する電気導通部７０の数も異なっている。
【００２４】
電線接続コネクタＡにおけるプラグ１０の差込部４０は、電線接続コネクタＢにおけるプラグ１０および電線接続コネクタＣにおけるプラグ１０の差込部４０よりも長く、差込口３０の奥まで達する長さである。
【００２５】
また、電線接続コネクタＡには３つの電気導通部７０が設けられている。すなわち、ジャック２０側からの電力を電気接続切片５０１、電気接続切片５０２、電気接続切片５０３の３点から導通することが可能である。
【００２６】
次に、電線接続コネクタＢにおけるプラグ１０の差込部４０は、電線接続コネクタＡおよび電線接続コネクタＣの、いずれのプラグ１０における差込部４０よりも短いものである。
【００２７】
また、電線接続コネクタＢには電気導通部７０が１つのみ設けられており、ジャック２０側からの電力を電気接続切片５０１からのみ導通するものである。
【００２８】
次に、電線接続コネクタＣの差込部４０は、電線接続コネクタＡの差込部４０の長さと、電線接続コネクタＢの差込部４０の長さの間の長さである。
【００２９】
また、電線接続コネクタＣには、２つの電気導通部７０が設けられており、ジャック２０側からの電力を電気接続切片５０１、電気接続切片５０２から導通するものである。
【００３０】
このように、差込部４０の長さを変化させることで差込口３０に差込部４０の差込量を変化させることが可能となり、それぞれの差込部４０の電気導通部７０と電気接続切片５０との接触個数を選択することが可能となる。
【００３１】
また、本実施形態に示す電気接続切片５０１、電気接続切片５０２、電気接続切片５０３には、それぞれ同一の電流量が通電されている。そして、差込部４０の電気導通部７０を複数有するプラグ１０に関しては、電気導通部７０から光源側へ配線される中で、他の電気導通部７０からの配線と接合され一つの配線とした後、光源側へと電送されている。
【００３２】
すなわち、電線接続コネクタＡは、電線接続コネクタＢが通電する電流量の３倍の電流量を通電し、電線接続コネクタＣは、電線接続コネクタＢが通電する電流量の２倍の電流量を通電することが可能となる。
【００３３】
ＬＥＤ照明器具の電源回路を結線する際、長さの異なる差込部４０を有する複数のプラグ１０から任意に一つ選択することで、要求される電流量を電源回路側からＬＥＤ光源側へと導通することが可能となる。
【００３４】
その結果、従来であれば、電流量が異なった場合であっても同一形状の接続端子を使用しており、その結果、ＬＥＤ光源側が求める電流量を電源回路側からＬＥＤ光源側へと導通させてしまい、ＬＥＤ光源を破壊するといった、人為的ミスを低減することが可能となる。
【００３５】
また、図１〜図３に示す差込部４０は二股構造となっている。一方の差込部４０は、上述したように電源回路側からの電力を授受するためのプラグであり、もう一方は、ニュートラル接続として活用されるものである。
【００３６】
ニュートラル接続に関しては、上記のように差込部４０の長さを変更する必要はない。これは電流の経路を確保するためだけのものであって、電流量の調整は、電流を授受するプラグのみで制御されているからである。
【００３７】
よって、差込部４０の二股構造のうち、一方のプラグに関しては長さに注意を払う必要はない。
【００３８】
また、上記では、差込部４０の電気導通部７０を複数有するプラグ１０に関しては、電気導通部７０から光源側へ配線される中で、他の電気導通部７０からの配線と接合され一つの配線とした後、光源側へと電送されている例を示したが、このような構成に限られることなく、他の電気導通部７０からの配線と接合されず、それぞれが独立してＬＥＤ光源側へと配線されていることも考え得る。
【００３９】
例えば、ＬＥＤ光源が２回路から構成されており、それぞれの回路が要求する電流量が異なるような場合などがあり得る。このような場合、差込量を変化させることで、それぞれの電気接続切片５０から供給された電流量を別系統として光源側へ電送することが可能となる。
【００４０】
このようにすることによって、従来であれば、電源回路から２口の配線を導出する必要があったが、本構成を採用することで、１つのコネクタによって、２系統もしくは３系統の電流量を別個の配線によってＬＥＤ光源側へ電送することが可能となる。
【００４１】
なお、本実施形態では、電気接続切片５０および電気導通部７０がそれぞれ１つから３つ存在する電線接続コネクタＡ、Ｂ、Ｃについて説明をしたが、電気接続切片５０および電気導通部７０の数に関してはこれらに限られるものではない。たとえば、それぞれが４つずつ存在しても良いし、５つ存在してもよい。
【００４２】
なお、図４〜図６は電線接続コネクタＡ、電線接続コネクタＢ、電線接続コネクタＣの断面図であるが、本実施形態で説明した特徴部分、すなわち、差込部４０の長さによって電流量を制御するプラグに特化した図面である。もう一方のニュートラル接続に関しては、図４〜図６で示す背面側に存在しており、図示されていない。
（実施形態２）
本実施形態について図７〜図９を用いて説明をする。また、上記実施形態１で説明したものと同一のものに関しては説明を省略するものとする。
【００４３】
以下に、差込部４０を有するプラグ１０と、差込部４０が挿入される差込口３０を有するジャック２０とを有し、差込部４０が差込口３０に挿入されることで電気的接続する電線接続コネクタにおいて、プラグ１０とジャック２０との間にスペーサー６０を設けることで、差込部４０が差込口３０に挿入される差込量が変化し、導通する電流量を選択できる電線接続コネクタＤについて説明をする。
【００４４】
スペーサー６０は絶縁素材で形成されており、例えば、樹脂素材が考えられ、ゴム等も含まれるものである。絶縁素材を用いることでスペーサー６０部分に触れても感電する恐れがなく、安全にジャック２０とプラグ１０の取外し作業を行うことが可能となる。
【００４５】
また、このスペーサー６０には、厚みの異なるものが数種類用意されている。本実施形態では、厚みが異なるスペーサーＪ、スペーサーＫについて説明を行う。
【００４６】
スペーサーＪは、スペーサーＫよりも厚みが分厚く、図７で示すように、スペーサーＪをプラグ１０およびジャック２０との間に挟み差込部４０を差込口３０に挿入すると、電気接続切片５０１のみが電気導通部７０と接触するようになる。
【００４７】
一方、スペーサーＫをプラグ１０およびジャック２０との間に挟み差込部４０を差込口３０に挿入すると、電気接続切片５０１および電気接続切片５０２が電気導通部７０と接触するようになる。
【００４８】
このように、異なる厚みのスペーサーをプラグ１０とジャック２０との間に挟み込むことによって、接触数を異ならせ、電源回路側からＬＥＤ光源側への電流量を調整することが可能となる。
【００４９】
ここで、スペーサーＫとスペーサーＪの厚み差は、隣り合う電気接続切片５０の間隔と同じ厚みである。そのことによって、スペーサー６０を変更するのみで、電気接続切片５０と電気導通部７０との接触個数を容易に調整することが可能となる。
【００５０】
その結果、実施形態１でも説明したとおり、通電量の調整が容易となる。
【００５１】
また、スペーサー６０の形状は、特に限定されるものではなく、真ん中が中空状であって差込部４０が、その中空状の中を通ることができるものであればよく、とくに外観の形状を求めるものではない。
【符号の説明】
【００５２】
１０  プラグ
２０  ジャック
３０  差込口
４０  差込部
５０  電気接続切片
５０１  電気接続切片
５０２  電気接続切片
６０  スペーサー
７０  電気導通部
【図１】
2015115260.tif 000003
【図２】
2015115260.tif 000004
【図３】
2015115260.tif 000005
【図４】
2015115260.tif 000006
【図５】
2015115260.tif 000007
【図６】
2015115260.tif 000008
【図７】
2015115260.tif 000009
【図８】
2015115260.tif 000010
【図９】
2015115260.tif 000011
【図１０】
2015115260.tif 000012